(57)【要約】 【課題】音声記憶装置において、風雑音が大きくなったときに風雑音があらわれて収音したい音声信号を打ち消してしまう。【解決手段】外部の音声を第１の音声信号に変換する第１の音声取得部と、前記第１の音声取得部から所定間隔離間させた第２の音声信号を取得する第２の音声取得部と、風雑音のレベルを検出する風雑音検出部と前記第１の音声信号と第２の音声信号から和成分音声信号を取り出す和成分生成部と第１の音声信号と第２の音声信号から差成分音声信号を取り出す差成分生成部と前記和成分音声信号と差成分音声信号から特定の周波数帯域の音声信号に分割する周波数帯域分割部と前記風雑音検出部の出力レベルに応じて前記周波数帯域分割部の出力音声信号にゲインをかける風雑音可変アンプを備え、前記周波数帯域分割部により分割された音声信号夫々に異なったゲインをかけることを特徴とする。【選択図】  図１
2015104091.tif 000002
【特許請求の範囲】
【請求項１】
外部の音声を第１の音声信号に変換する第１の音声取得部と、前記第１の音声取得部から所定間隔離間させた第２の音声信号を取得する第２の音声取得部と、風雑音のレベルを検出する風雑音検出部と前記第１の音声信号と第２の音声信号から和成分音声信号を取り出す和成分生成部と第１の音声信号と第２の音声信号から差成分音声信号を取り出す差成分生成部と前記和成分音声信号と差成分音声信号から特定の周波数帯域の音声信号に分割する周波数帯域分割部と前記風雑音検出部の出力レベルに応じて前記周波数帯域分割部の出力音声信号にゲインをかける風雑音可変アンプを備え、前記周波数帯域分割部により分割された音声信号夫々に異なったゲインをかけることを特徴とする音声処理装置。
【請求項２】
前記周波数帯域分割部で分割された帯域は複数の音声帯域であり、１以上、複数の和差成分音声信号にゲインをかけることを特徴とする請求項１に記載の音声処理装置。
【請求項３】
風雑音可変アンプは前記風雑音検出部の出力レベルに対する複数のゲインテーブルによってゲイン量を決定することを特徴とする請求項１に記載の音声処理装置。
【請求項４】
前記ゲインテーブルは前記周波数帯域分割部で分割される帯域の１以上、複数の和差成分音声信号に対して減衰し、その他の和差成分音声信号に対しては減衰させない、もしくは増幅させるパラメータであることを特徴とする請求項１に記載の音声処理装置。
【発明の詳細な説明】
【技術分野】
【０００１】
本発明は、風雑音を除去するための風雑音低減の技術に関するものである。
【背景技術】
【０００２】
マイクを備えた記録再生装置において、屋外で使用した場合、録音時に風の影響を受けやすく、風雑音として録音されてしまう。風雑音はマイクが有する振動膜（振動板）が風圧によって振動してしまい、風雑音信号として検出されることが知られている。集音部にウインドスクリーンを取り付けることが効果的であるが、効果を高めようとするとウインドスクリーンは大きくなってしまう。特に、小型軽量が求められるデジタルカメラのように、マイクにスペースのとれない装置では、ウインドスクリーンを設けることは困難である。この課題に対し、風雑音を改善する技術が、いくつか既に提案されている。
【０００３】
一般には、特許文献１に示される様に、マイクロホン出力の高域周波数帯域成分と低域周波数帯域成分とを比較し、その比較結果に基づいて、自動的に低域周波数帯域の感度を制御する方式が用いられている。その方法に対して、特許文献２ではＯＮ／ＯＦＦが連続的に繰り返さないように制御している。特許文献３ではレベル調整器の可変出力端子の接続位置を可変することによって、風雑音の低減量を調整している。
【先行技術文献】
【特許文献】
【０００４】
【特許文献１】特開昭６４−２０７９８号公報
【特許文献２】特開平８‐２９７９１５号公報
【特許文献３】特開平１０−３２８９４号公報
【発明の概要】
【発明が解決しようとする課題】
【０００５】
風による風雑音に対して小型が求められるデジタルカメラでは特にマイク周りにメカ対策を設けることが困難であるため、影響を受けすい。風雑音が大きくなった場合、風雑音の成分は低域から埋まっていくため性質があるため、前記に記載された従来提案されている方法では大きい風雑音の入力があった際、高域に風雑音が現れてしまう。
【０００６】
そこで、本発明は、風雑音の大きい入力に対しても、風雑音を低減し、収音したい音声を残した音声信号を得ることを目的とする。
【課題を解決するための手段】
【０００７】
請求項１における発明は、外部の音声を第１の音声信号に変換する第１の音声取得部と、前記第１の音声取得部から所定間隔離間させた第２の音声信号を取得する第２の音声取得部と、風雑音のレベルを検出する風雑音検出部と前記第１の音声信号と第２の音声信号から和成分音声信号を取り出す和成分生成部と第１の音声信号と第２の音声信号から差成分音声信号を取り出す差成分生成部と前記和成分音声信号と差成分音声信号から特定の周波数帯域の音声信号に分割する周波数帯域分割部と前記風雑音検出部の出力レベルに応じて前記周波数帯域分割部の出力音声信号にゲインをかける風雑音可変アンプを備え、前記周波数帯域分割部により分割された音声信号夫々に異なったゲインをかけることを特徴としている。
【０００８】
請求項２における発明は、請求項１記載の音声信号処理装置において、前記周波数帯域分割部で分割された帯域は複数の音声帯域であり、１以上、複数の和差成分音声信号にゲインをかけることを特徴としている。
【０００９】
請求項３における発明は、請求項１記載の音声信号処理装置において、風雑音可変アンプは前記風雑音検出部の出力レベルに対する複数のゲインテーブルによってゲイン量を決定することを特徴としている。
【００１０】
請求項４における発明は、請求項１記載の音声信号処理装置において、前記ゲインテーブルは前記周波数帯域分割部で分割される帯域の１以上、複数の和差成分音声信号に対して減衰し、その他の和差成分音声信号に対しては減衰させない、もしくは増幅させるパラメータであることを特徴としている。
【発明の効果】
【００１１】
本発明によれば、風雑音レベルに応じて、分割されたそれぞれの周波数帯域の和成分および差成分を異なった減衰量で変更することで、大きい風雑音に対しても風雑音の大きさに応じて収音したい音声を残した音声信号を得ることができる。
【図面の簡単な説明】
【００１２】
【図１】本発明における実施例の風雑音除去ブロックの概略構成を示したブロック図である。
【図２】本発明における実施例のデジタルカメラの概略構成を示したブロック図である。
【図３】本発明における実施例のデジタルカメラのフローチャートである。
【図４】本発明における実施例のＡＵＤＩＯブロックの概略構成を示したブロック図である。
【図５】本発明における実施例の風雑音検出ブロックの概略構成を示したブロック図である。
【図６】本発明における実施例の風雑音除去ブロックのフローチャートである。
【図７】本発明における実施例の風雑音可変アンプの風雑音レベル−減衰量特性である。
【図８】従来例のデジタルカメラの風雑音除去ブロックブロックの概略構成を示したブロック図である。
【発明を実施するための形態】
【００１３】
［実施例］
図２は、本発明の実施例として、デジタルカメラの概略構成を示した図である。２１は、変倍系レンズ群、合焦系レンズ群、絞り機能を備えるシャッター、光学像を電気信号に変換する撮像素子等を具備する光学ブロックである。２は、撮像素子のアナログ信号出力をデジタル信号に変換するＡ／Ｄ変換器、撮像素子等にクロック信号や制御信号を供給するタイミング発生回路、撮像素子の感度を設定する撮像感度調節器等を具備した撮像ブロックである。３は、合焦系レンズのフォーカシングを制御する測距制御手段、変倍系レンズのズーミングを制御するズーム制御手段、シャッター動作を制御するシャッター制御手段等を具備したレンズ制御ブロックである。
【００１４】
５は、マイク５１・マイク５２からの音声信号のアナログ信号出力をデジタル信号に変換するＡ／Ｄ変換部、増幅部、ＡＬＣ制御部、周波数フィルタ制御等の音声信号処理部や、スピーカ５３に音声信号を出力するスピーカ用音声信号処理部、モニターに音声信号を出力するラインアウト用音声信号処理部等を具備したＡＵＤＩＯブロックである。８は撮影した静止画像や動画像や録音した音声を格納するためのメモリである。７はＴＦＴＬＣＤ等から成る表示手段であり、メモリ８に書き込まれた表示用の画像データを表示手段７により表示される。また、表示手段７の変わりにＶＩＤＥＯアンプ６とビデオ信号出力端子を備えて、ＴＶ等の装置外部の表示装置に表示する。
【００１５】
４は、駆動方向を指示するズーム操作部や、撮影動作開始を指示するシャッター操作部等からなる操作手段である。９は、メモリカードやハードディスク等のメディアである。撮影された静止画/動画データが格納される。１は、全ブロックの制御や検知を司るシステムブロックである。
【００１６】
図２のデジタルカメラのフローチャートに従って説明を行う。デジタルカメラは、操作手段４のなかのメインスイッチがオンされると（Ｓ３０１）動作を開始し、メイン電源およびコントロール系の電源を供給する。モードが撮影または再生かを判断し（Ｓ３０２）撮影モードであれば撮影シーケンスに入る。
【００１７】
ここで、再生モードであった場合は再生シーケンスに行き、メモリ８から画像データを読み込み（Ｓ３０３）、ＬＣＤなどの表示手段７への出力のための信号処理を行い、画像を表示する（Ｓ３０４）。その後、操作手段４のなかのメインスイッチがオフされるまで画像を表示し、操作手段４のなかのメインスイッチがオフされたら（Ｓ３０５）画像の表示を中止し電源をオフする。Ｓ４０２の判断において撮影シーケンスに入った場合は、撮像ブロック２の電源を駆動する（Ｓ３０６）。
【００１８】
ＡＦレンズのレンズ位置をリセット位置まで駆動し（Ｓ３０７）、システムブロック１の制御によりの信号で絞り・シャッターをまず開放にする。その後（Ｓ３０８）ＡＦシーケンスに入り、光学ブロック２１を通った信号が撮像ブロック２で処理された画像データをシステムブロック１に入力しここでＡＦ・ＡＥ制御値を演算する（Ｓ３０９）。この演算結果に応じてシステムブロック１は、絞り、シャッターを制御する（Ｓ３１０）。
【００１９】
操作手段４から静止画モードもしくは動画モードを判別する（Ｓ３１１）。静止画モードであった場合、操作手段４のなかのレリーズスイッチが押されているかを判別する（Ｓ３１２）。操作手段４のなかのレリーズスイッチが押されていない場合には、ＡＦ処理シーケンス（Ｓ３０９）にもどる。操作手段４のなかのレリーズスイッチが押されている場合には、撮像ブロック２を撮影するための全画素読み出しモードに駆動方法を変更（Ｓ３１２）する。撮影を行い撮影したデータをシステムブロック１で処理を行いメモリ８に記録する（Ｓ３１３）。ライブ画像を処理するための画素加算モードで撮像ブロック２を駆動しなおして（Ｓ３１４）ＡＦ処理シーケンス（Ｓ３０９）にもどる。動画モードであった場合、操作手段４のなかのレリーズスイッチが押されているかを判別する（Ｓ３１２）。操作手段４のなかのレリーズスイッチが押されていない場合には、ＡＦ処理シーケンス（Ｓ３１６）にもどる。
【００２０】
操作手段４のなかのレリーズスイッチが押された場合には、撮像ブロック２の駆動方法を変更（Ｓ３１７）する。録画を行い撮影したデータをシステムブロック１で処理を行う。同じく音声はマイク５１・マイク５２からの音声信号をＡＵＤＩＯブロック５での音声処理を介し、システムブロック１へデータ転送される。システムブロック１においては前記画像データと音声データを受け、メモリ８に画像データを書き込む露光処理、現像処理、又画像データと音声データとの合成処理、メモリ８から動画データを読み出し、圧縮・伸長回を行い、メディア５に動画データを書き込む記録処理を行う（Ｓ３１８）。このＳ３１８によって本提案の実施形の制御を行う。
【００２１】
操作手段４のレリーズスイッチがもう一度押されるまで動画を録画し、押された場合終了する（Ｓ３１９）。ライブ画像を処理するための画素加算モードで撮像ブロック２を駆動しなおして（Ｓ３２０）ＡＦ処理シーケンス（Ｓ３０９）にもどる。操作手段４のなかのメインスイッチがオフされると、撮像ブロック２の電源をオフし、光学ブロックの各メカは所定の位置に戻りメインの電源を切る。
【００２２】
図４は図２のデジタルカメラにおけるＡＵＤＩＯブロック５の概略構成を示したブロック図である。４０１はＬｃｈマイク１の出力信号を増幅するＬｃｈマイクアンプ、４０２はＲｃｈマイク２の出力信号を増幅するＲｃｈマイクアンプ、４０３はアナログ音声信号をデジタル音声信号に変換するＡ／Ｄコンバータ、４０４は風を検出して風雑音を低減する風雑音低減部、４０５は風雑音低減部４０４を使用するか決定する風雑音低減部スイッチ４０６は特定周波数域のゲインを変更する周波数フィルタ制御部、４０７は音声信号入力レベルに基づいてゲイン制御するＡＬＣ制御部、４０８はシステムブロックからの信号に対してゲインを変更するデジタルアンプ、４０９はデジタル音声信号をアナログ音声信号に変換するＡ／Ｄコンバータ、４１０はスピーカ出力かライン出力を決定する出力選択スイッチ、４１１はステレオからモノラルに変更する合成部、４１２はスピーカ５３の出力レベルを決定するスピーカアンプ、４１３はＬｃｈライン出力レベルを決定するＬｃｈラインアンプ、４１４はＲｃｈライン出力レベルを決定するＲｃｈラインアンプ、
である。
【００２３】
録音する際のＡＵＤＩＯブロックの処理について説明する。第１の音声取得部であるＬｃｈマイク５１で第１の音声信号を、第２の音声取得部であるＲｃｈマイク５２で第２の音声信号を収音する。第１の音声取得手段をＬｃｈマイク５１、第２の音声取得手段をＲｃｈマイク５２としているが逆でも構わない。また本件では、２方向の音声を取得手段であるが３つ以上の取得手段を有しても構わない。第１の音声信号、第２の音声信号をＬｃｈマイクアンプ４０１、Ｒｃｈマイクアンプ４０２によって増幅する。
【００２４】
Ａ／Ｄコンバータ４０３でアナログ音声信号を音声処理の行いやすいデジタル音声信号に変換する。システムブロック１からの制御信号によって風雑音低減部スイッチ４０５を切りかえ、風雑音低減処理を行う場合、デジタル音声信号から風雑音低減部４０４で風を検出して風雑音を低減し周波数フィルタ制御部４０６に入力する。風雑音低減処理を行わない場合、そのままのデジタル音声信号を周波数フィルタ制御部４０６に入力する。周波数フィルタ制御部４０６では固定周波数ノイズの除去等を行う。ＡＬＣ制御部４０７で周波数フィルタ制御部４０６の出力音声信号入力レベルに基づいてゲイン制御を行う。ＡＬＣ制御部４０７からの出力信号がシステムブロック１へデータ転送される。
【００２５】
以下、図１、図５、図６、図７を参照して本発明の第一の実施例による風雑音を低減する音声処理装置を説明する。図１は本発明における実施例の図４の風雑音低減部４０４の概略構成を示したブロック図である。また、図５は本発明における実施例の図１の和成分検出部１０７のブロック図、図７は本発明における実施例のウ風雑音可変アンプの風雑音レベル−減衰量特性を示した図である。
【００２６】
図１において１０１は音声信号を加算する和成分生成器、１０２は音声信号を減算する差成分生成器、１０３は和成分の高域を抽出する和成分ＨＰＦ、１０４は和成分の低域を抽出する和成分ＬＰＦ、１０５は差成分の高域を抽出する差成分ＨＰＦ、１０６は差成分の低域を抽出する差成分ＬＰＦ、１０７は風雑音のレベルを検出する風雑音検出部、１０８は低域差成分のゲインを決定するゲインテーブル１、１０９は低域差成分の音声信号を減衰させる低域差成分アンプ、１１０は高域差成分のゲインを決定するゲインテーブル２、１１１は高域差成分の音声信号を減衰させる高域差成分アンプ、１１２は低域和成分のゲインを決定するゲインテーブル３、１１３は低域和成分の音声信号を減衰させる低域和成分アンプ、１１４は和成分の高域と低域を合成する和成分加算器、１１５は差成分の高域と低域を合成する差成分加算器、１１６はＬｃｈの音声信号を生成するＬｃｈ生成加算器、１１７はＲｃｈの音声信号を生成するＲｃｈ生成減算器、１１８はＬｃｈの音声信号を所定の音声レベルに戻すＬｃｈ音量調整アンプ、１１９はＲｃｈの音声信号を所定の音声レベルに戻すＲｃｈ音量調整アンプである。
【００２７】
図６のフローチャートに従って図１、図４、図５および図７を用いて説明する。まず、図４のシステムブロック１からの制御信号を受け取って、風雑音除去機能を使用するか決定する（Ｓ７０１）。風雑音除去機能を使用するとユーザーが設定した場合、図４のＡ／Ｄコンバータ４０３で処理した音声信号に対して、和成分生成器１０１で和成分音声信号Ｌ+Ｒを差成分生成器１０２で和成分音声信号Ｌ−Ｒを生成する（Ｓ７０２）。風雑音検出部１０７によって風雑音レベルを出力する（Ｓ７０３）。
【００２８】
風雑音レベルの検出方法の例について図５を用いて説明する。図５において、６０１は和成分の低域を抽出する検出和成分ＬＰＦ、６０２は差成分の低域を抽出する検出差成分ＬＰＦ、６０３は低域和成分を絶対値に変換する検出和成分ＡＢＳ、６０４は低域差成分を絶対値に変換する検出差成分ＡＢＳ、６０５は低域和成分を平滑する検出和成分平滑化ＬＰＦ、６０６は低域差成分を平滑する検出差成分平滑化ＬＰＦ、６０７は低域和成分のゲインを変更する検出和成分調節アンプ、６０８は低域和成分のゲインを変更する検出差成分調節アンプ、６０９は低域和成分と低域和成分を減算する検出減算器である。
【００２９】
図１の和成分生成器１０１と差成分生成器１０２で生成される和成分音声信号Ｌ+Ｒを差成分音声信号Ｌ−Ｒの音声信号から図５の検出和成分ＬＰＦ６０１、検出差成分ＬＰＦ６０２を用いて低域を抜き出す。検出和成分ＬＰＦ６０１、検出差成分ＬＰＦ６０２で抽出するＬＰＦのカットオフ周波数は風雑音のあらわれやすい１００Ｈｚ程度とする。検出和成分ＬＰＦ６０１、検出差成分ＬＰＦ６０２の出力信号に対して検出和成分ＡＢＳ６０３、検出差成分ＡＢＳ６０４によって絶対値に変換する。インパルス性の信号等での誤動作を防ぐため検出和成分平滑化ＬＰＦ６０５、検出差成分平滑化ＬＰＦ６０６を用いて平滑化する。
【００３０】
平滑化ＬＰＦのカットオフ周波数を変更することによって風雑音の検知のスピードを遅らせて誤動作を防ぐ。検出和成分ＡＢＳ６０３、検出差成分ＡＢＳ６０４、検出和成分平滑化ＬＰＦ６０５、検出差成分平滑化ＬＰＦ６０６は風雑音の検知のスピードを設定する積分回路やＲＭＳ生成回路でも構わない。検出和成分平滑化ＬＰＦ６０５、検出差成分平滑化ＬＰＦ６０６の出力信号を減算することによって検出減算器６０９で減算して風雑音のレベルを決定する。その際、検出和成分調節アンプ６０７、検出差成分調節アンプ６０８によって、減算して風雑音レベルが検知できるレベルに調節する。
【００３１】
風雑音検出部１０７の出力信号である風雑音レベルに応じて風雑音可変アンプによる減衰量を決定するゲインテーブルを決定する（Ｓ７０４）。ゲインテーブルである図１のゲインテーブル１  １０８、ゲインテーブル２  １１０、ゲインテーブル３  １１２のそれぞれ音声信号を風雑音レベルに対して異なったゲイン量で設定する。それぞれのゲインテーブルの特性については後述する。本件では、ゲインテーブルを３つ持つが、１以上複数のゲインテーブルで構わない。また、ゲインテーブルを持たずにリニア可変抵抗でも構わない。
【００３２】
音声信号ラインに戻って、和成分生成器１０１から出力される音声信号である和成分音声信号Ｌ+Ｒと差成分生成器１０２から出力される音声信号である差成分音声信号Ｌ+Ｒに対して、周波数帯域分割部によって周波数帯域で分割する（Ｓ７０５）。和成分音声信号Ｌ+Ｒから和成分ＨＰＦ１０３で音声信号として残したい帯域である周波数帯域１を取り出し、高域和成分音声信号（Ｌ＋Ｒ）ｈを生成する。
【００３３】
また、和成分ＬＰＦ１０４で風雑音の多く存在する帯域である周波数帯域２を取り出し、低域和成分音声信号（Ｌ＋Ｒ）ｌを生成する。分割する周波数帯域のカットオフ周波数は１ｋＨｚ程度とする。本件では、高域である周波数帯域１と低域である周波数帯域２の２分割にしているが、高域、中域、低域等の多分割にしても構わない。同様に、差成分音声信号Ｌ−Ｒから差成分ＨＰＦ１０５で周波数帯域１を取り出し、高域差成分音声信号（Ｌ−Ｒ）ｈを生成する。また、和成分ＬＰＦ１０６で周波数帯域２を取り出し、低域差成分音声信号（Ｌ−Ｒ）ｌを生成する。分割する周波数帯域のカットオフ周波数は１ｋＨｚ程度とする。本件では、周波数帯域１の高域と周波数帯域２の低域の２分割にしているが、高域、中域、低域等の多分割にしても構わない。
【００３４】
和成分ＨＰＦ、和成分ＬＰＦ、差成分ＨＰＦ、差成分ＬＰＦが周波数帯域分割部である。本件では和成分音声信号Ｌ+Ｒと差成分音声信号Ｌ−Ｒは周波数帯域分割部による２分割、カットオフ周波数は１ｋＨz程度であるが、分割数、カットオフ周波数は異なっても構わない。
【００３５】
ゲインテーブルによって決定する風雑音レベルに対するゲイン量に基づいて風雑音可変アンプで音声信号にゲインをかける（Ｓ７０６）。ゲインテーブル１  １０８に基づいて低域差成分音声信号（Ｌ−Ｒ）ｌに対して低域差成分アンプ１０９でゲインをかける。同様にゲインテーブル２  １１０で決定されたゲイン量に基づいて低域差成分音声信号（Ｌ−Ｒ）ｈに対して高域差成分アンプ１１１でゲインをかける。また、ゲインテーブル３  １１２で決定されたゲイン量に基づいて低域和成分音声信号（Ｌ＋Ｒ）ｌに対して低域和成分アンプ１１３でゲインをかける。風雑音レベルに対するゲインテーブルによって決定するそれぞれの風雑音可変アンプにおける減衰量の例を図７に示す。
【００３６】
風雑音は左右に相関がなく発生することと、風が強くになるにつれて低域から順に埋まって風雑音の主成分の周波数が上がっていく特徴がある。そのため、和成分および差成分のそれぞれの周波数帯域に応じて図７のような減衰量となるよう設定される。低域差成分音声信号（Ｌ−Ｒ）ｌに関しては風雑音検出部１０７の出力レベル（風雑音レベル）が図７のＡ点で示される風雑音と断定できる風雑音検知レベルまで達した点から風雑音レベルが大きくなるにつれて低域差成分アンプ１０９で大きく減衰させる。
【００３７】
ゲインテーブル１  １０８はこのような風雑音レベルに対して特性を持つ。低域差成分音声信号（Ｌ＋Ｒ）ｌについては風雑音レベルが図７のＡ点で示される風雑音を断定できる風雑音検知レベルまで達した点から低域和成分アンプ１１３をゆるやかに減衰させ、図７のＢ点で示される低域が風雑音で埋もれるレベルから大きく減衰させる。これは小さい風雑音レベルでは風雑音が多く存在する周波数帯域２に風雑音ではない残したい音声が残るが、風雑音で埋もれるレベルになると残したい音声が収音されないからである。ゲインテーブル３  １１２はこのような風雑音レベルに対して特性を持つ。
【００３８】
高域差成分については図７のＣ点で示される高域の周波数帯域２に風雑音が発生するレベルまでは高域差成分アンプ１１１では減衰させず、そこから緩やかに減衰させる。高域和成分音声信号（Ｌ＋Ｒ）ｈは音声信号として残したい帯域であるため減衰させない。このようにして周波数帯域２に風雑音が発生しても、高域和成分音声信号（Ｌ＋Ｒ）ｈだけを残すことによって残したい音声信号を保持することができる。ゲインテーブル２  １１０はこのような風雑音レベルに対して特性を持つ。本件では、高域と低域に対して減衰させているが、風雑音レベルに応じて高域、中域、低域等のそれぞれの和差成分を減衰させても構わない。また、それぞれの音声信号の減衰に伴って、周波数帯域２の音声を増幅させても構わない。
【００３９】
和成分加算器１１４を用いて和成分ＨＰＦ１０３からの出力音声信号と低域和成分１１３からの減衰された出力音声信号を合成して（Ｌ＋Ｒ）´を生成する。差成分加算器１１５を用いて高域差成分１１１からの減衰された出力音声信号と低域差成分１０９からの減衰された出力音声信号を合成して（Ｌ−Ｒ）´を生成する。Ｌｃｈ生成加算器１１６では（Ｌ＋Ｒ）´と（Ｌ−Ｒ）´を合成することで２Ｌ´を得る。２Ｌ´をＬｃｈ音量調整アンプ１１８で６ｄＢ減衰させることで音声信号を半分にしてＬ´としたものを図４の風雑音低減部４０４のＬｃｈの出力音声信号とする。Ｒｃｈ生成加算器１１７では（Ｌ＋Ｒ）´と（Ｌ−Ｒ）´を減算することで２Ｒ´を得る。２Ｒ´をＲｃｈ音量調整アンプ１１９で６ｄＢ減衰させることで音声信号を半分にしてＲ´としたものを図４の風雑音低減部４０４のＲｃｈの出力音声信号とする。
【００４０】
このようにして風雑音レベルに応じてゲインテーブルを用い、分割された周波数帯域の和成分と差成分をそれぞれ風雑音可変アンプで異なったゲイン量で変更することで、大きい風雑音に対しても大きさに応じて収音したい音声を残した音声信号を得ることができる。
【符号の説明】
【００４１】
１０１  和成分生成器
１０２  差成分生成器
１０３  和成分ＨＰＦ
１０４  和成分ＬＰＦ
１０５  差成分ＨＰＦ
１０６  差成分ＬＰＦ
１０７  風雑音検出部
１０８  ゲインテーブル１
１０９  低域差成分アンプ
１１０  ゲインテーブル２
１１１  高域差成分アンプ
１１２  ゲインテーブル３
１１３  低域和成分アンプ
１１４  和成分加算器
１１５  差成分加算器
１１６  Ｌｃｈ生成加算器
１１７  Ｒｃｈ生成減算器
１１８  Ｌｃｈ音量調整アンプ
１１９  Ｒｃｈ音量調整アンプ
【図７】
2015104091.tif 000003
【図１】
2015104091.tif 000004
【図２】
2015104091.tif 000005
【図３】
2015104091.tif 000006
【図４】
2015104091.tif 000007
【図５】
2015104091.tif 000008
【図６】
2015104091.tif 000009
【図８】
2015104091.tif 000010